(57)【要約】      （修正有）【課題】高ズーム比で全ズーム範囲にわたり色収差が良好に補正され高い光学性能が容易に得られるズームレンズの提供。【解決手段】正の第１レンズ群Ｌ１、負の第２レンズ群Ｌ２、後方レンズ系ＬＭより構成され、後方レンズ系ＬＭは正レンズ群Ｌ３、負レンズ群Ｌ４、正レンズ群Ｌ５より構成される部分レンズ系を有し、ズーミングに際して第１レンズ群Ｌ１は不動で、レンズ群Ｌ３は移動し、ズーミングに際して隣り合うレンズ群の間隔が変化し、第１レンズ群Ｌ１とレンズ群Ｌ５は各々正レンズと負レンズを有し、第２レンズ群Ｌ２は負レンズを有し、レンズ群Ｌ４は正レンズを有し、第１レンズ群Ｌ１に含まれる正レンズのアッベ数平均値ν１ｐａｖｅ、第２レンズ群Ｌ２に含まれる負レンズのアッベ数平均値ν２ｎａｖｅ、レンズ群Ｌ４に含まれる正レンズのアッベ数平均値νＢｐａｖｅ、レンズ群Ｌ５に含まれる正レンズのアッベ数平均値νＣｐａｖｅを適切に設定する。【選択図】図１
2018072367.tif 000002
【特許請求の範囲】
【請求項１】
物体側から像側へ順に配置された、正の屈折力の第１レンズ群、負の屈折力の第２レンズ群、複数のレンズ群を含む後方レンズ系より構成され、前記後方レンズ系は、物体側から像側へ順に配置された、正の屈折力のレンズ群Ａ、負の屈折力のレンズ群Ｂ、正の屈折力のレンズ群Ｃより構成される部分レンズ系を有し、ズーミングに際して、前記第１レンズ群は不動であり、前記レンズ群Ａは移動し、ズーミングに際して隣り合うレンズ群の間隔が変化するズームレンズであって、
前記第１レンズ群と前記レンズ群Ｃは、各々正レンズと負レンズを有し、前記第２レンズ群は負レンズを有し、前記レンズ群Ｂは正レンズを有し、
前記第１レンズ群に含まれる正レンズの材料のアッベ数の平均値をν１ｐａｖｅ、前記第２レンズ群に含まれる負レンズの材料のアッベ数の平均値をν２ｎａｖｅ、前記レンズ群Ｂに含まれる正レンズの材料のアッベ数の平均値をνＢｐａｖｅ、前記レンズ群Ｃに含まれる正レンズの材料のアッベ数の平均値をνＣｐａｖｅとするとき、
６０．０＜ν１ｐａｖｅ＜９５．０
５０．０＜ν２ｎａｖｅ＜９０．０
１．６＜ν１ｐａｖｅ／νＢｐａｖｅ＜５．０
０．６＜ν１ｐａｖｅ／νＣｐａｖｅ＜１．４
なる条件式を満足することを特徴とするズームレンズ。
【請求項２】
前記第１レンズ群に含まれる負レンズの材料のアッベ数の平均値をν１ｎａｖｅとするとき、
１．８＜ν１ｐａｖｅ／ν１ｎａｖｅ＜４．０
なる条件式を満足することを特徴とする請求項１に記載のズームレンズ。
【請求項３】
前記レンズ群Ｂは負レンズを有し、前記レンズ群Ｂに含まれる負レンズの材料のアッベ数の平均値をνＢｎａｖｅとするとき、
０．３＜νＢｎａｖｅ／νＣｐａｖｅ＜０．９
なる条件式を満足することを特徴とする請求項１または２に記載のズームレンズ。
【請求項４】
前記第１レンズ群は４枚以上のレンズを有することを特徴とする請求項１乃至３のいずれか１項に記載のズームレンズ。
【請求項５】
前記第１レンズ群の焦点距離をｆ１、前記第１レンズ群の最も物体側のレンズ面の面頂点から像面までの距離をＬＤとするとき、
０．２＜ｆ１／ＬＤ＜０．５
なる条件式を満足することを特徴とする請求項１乃至４のいずれか１項に記載のズームレンズ。
【請求項６】
前記第１レンズ群の焦点距離をｆ１、前記レンズ群Ｃの焦点距離をｆＣとするとき、
０．８＜ｆ１／ｆＣ＜２．５
なる条件式を満足することを特徴とする請求項１乃至５のいずれか１項に記載のズームレンズ。
【請求項７】
前記レンズ群Ｂの焦点距離をｆＢ、前記レンズ群Ｃの焦点距離をｆＣ、前記第１レンズ群の最も物体側のレンズ面の面頂点から像面までの距離をＬＤとするとき、
−０．１０＜（ｆＢ×ｆＣ）／ＬＤ2＜−０．０２
なる条件式を満足することを特徴とする請求項１乃至６のいずれか１項に記載のズームレンズ。
【請求項８】
前記後方レンズ系は、物体側から像側へ順に配置された、正の屈折力の第３レンズ群、負の屈折力の第４レンズ群、正の屈折力の第５レンズ群より構成され、
前記部分レンズ系は、物体側から像側へ順に配置された、前記第３レンズ群、前記第４レンズ群、前記第５レンズ群より構成されることを特徴とする請求項１乃至７のいずれか１項に記載のズームレンズ。
【請求項９】
前記後方レンズ系は、物体側から像側へ順に配置された、負の屈折力の第３レンズ群、正の屈折力の第４レンズ群、負の屈折力の第５レンズ群、正の屈折力の第６レンズ群より構成され、
前記部分レンズ系は、物体側から像側へ順に配置された、前記第４レンズ群、前記第５レンズ群、前記第６レンズ群より構成されることを特徴とする請求項１乃至７のいずれか１項に記載のズームレンズ。
【請求項１０】
前記後方レンズ系は、物体側から像側へ順に配置された、正の屈折力の第３レンズ群、正の屈折力の第４レンズ群、正の屈折力の第５レンズ群、負の屈折力の第６レンズ群、正の屈折力の第７レンズ群より構成され、
前記部分レンズ系は、物体側から像側へ順に配置された、前記第５レンズ群、前記第６レンズ群、前記第７レンズ群より構成されることを特徴とする請求項１乃至７のいずれか１項に記載のズームレンズ。
【請求項１１】
前記後方レンズ系は、物体側から像側へ順に配置された、正の屈折力の第３レンズ群、負の屈折力の第４レンズ群、正の屈折力の第５レンズ群、正の屈折力の第６レンズ群より構成され、
前記部分レンズ系は、物体側から像側へ順に配置された、前記第３レンズ群、前記第４レンズ群、前記第５レンズ群より構成されることを特徴とする請求項１乃至７のいずれか１項に記載のズームレンズ。
【請求項１２】
請求項１乃至１１のいずれか１項に記載のズームレンズと、該ズームレンズによって形成される像を受光する撮像素子を有することを特徴とする撮像装置。
【発明の詳細な説明】
【技術分野】
【０００１】
本発明は、ズームレンズ及びそれを有する撮像装置に関し、例えばデジタルカメラ、ビデオカメラ、放送用カメラ、監視用カメラ、銀塩写真用カメラなどの撮像装置の撮像光学系として好適なものである。
【背景技術】
【０００２】
近年、撮像装置は撮像素子の画素数の増加に伴って高画質化されている。そしてそれに伴い撮像装置に用いる撮像光学系としては、高いズーム比（変倍比）で全ズーム範囲にわたり高い光学性能を有し、レンズ全長の短いズームレンズであることが要求されている。これらの要求を満足するためのズームレンズとして、最も物体側に正の屈折力のレンズ群を配置したポジティブリード型のズームレンズが知られている（特許文献１乃至３）。
【０００３】
特許文献１では物体側より順に正、負、正、正の屈折力の第１レンズ群乃至第４レンズ群よりなり、ズーミングに際して第１レンズ群を不動としたズーム比１０程度のズームレンズを開示している。特許文献２では物体側より順に正、負、正、負、正の屈折力の第１レンズ群乃至第５レンズ群より構成され、ズーミングに際して第１レンズ群と第５レンズ群を不動としたズーム比１０程度のズームレンズを開示している。
【０００４】
特許文献３では物体側より順に正、負、正、負、正の屈折力の第１レンズ群乃至第５レンズ群よりなり、ズーミングに際して第１レンズ群と第５レンズ群を不動としたズーム比２０程度のズームレンズを開示している。
【先行技術文献】
【特許文献】
【０００５】
【特許文献１】特開２０１２−８８６０３号公報
【特許文献２】特開２０１３−７８９８号公報
【特許文献３】特開２００６−３３７７４５号公報
【発明の概要】
【発明が解決しようとする課題】
【０００６】
近年、撮像装置に用いるズームレンズには、高ズーム比でかつレンズ系全体が小型で、諸収差のうち特に軸上収差、軸外収差を良好に補正した高い光学性能を有するズームレンズが強く要望されている。一般にズームレンズにおいて、所定のズーム比を確保しつつ、全系の小型化を図るためにはズームレンズを構成する各レンズ群の屈折力を強めつつ、レンズ枚数を削減すれば良い。しかしながらこのように構成したズームレンズは、各レンズ面の屈折力の増加に伴い、諸収差の発生が多くなってくる。
【０００７】
ポジティブリード型のズームレンズにおいて、全系の小型化を図りつつ、高ズーム比で色収差を含む諸収差を良好に補正し、全ズーム範囲にわたり高い光学性能を得るには、ズームレンズを構成する各要素を適切に設定することが重要となってくる。特許文献１は第１レンズ群を１枚の正レンズで構成しており、ズーミングに際して軸上色収差の変動が増加する傾向があった。特許文献２は最終レンズ群を１枚の正レンズで構成しており、ズーミングに伴う倍率色収差の変動が増加する傾向があった。
【０００８】
本発明は、高ズーム比で全ズーム範囲にわたり色収差が良好に補正され、高い光学性能が容易に得られるズームレンズ及びそれを有する撮像装置を提供することを目的とする。
【課題を解決するための手段】
【０００９】
本発明のズームレンズは、物体側から像側へ順に配置された、正の屈折力の第１レンズ群、負の屈折力の第２レンズ群、複数のレンズ群を含む後方レンズ系より構成され、前記後方レンズ系は、物体側から像側へ順に配置された、正の屈折力のレンズ群Ａ、負の屈折力のレンズ群Ｂ、正の屈折力のレンズ群Ｃより構成される部分レンズ系を有し、ズーミングに際して、前記第１レンズ群は不動であり、前記レンズ群Ａは移動し、ズーミングに際して隣り合うレンズ群の間隔が変化するズームレンズであって、
前記第１レンズ群と前記レンズ群Ｃは、各々正レンズと負レンズを有し、前記第２レンズ群は負レンズを有し、前記レンズ群Ｂは正レンズを有し、
前記第１レンズ群に含まれる正レンズの材料のアッベ数の平均値をν１ｐａｖｅ、前記第２レンズ群に含まれる負レンズの材料のアッベ数の平均値をν２ｎａｖｅ、前記レンズ群Ｂに含まれる正レンズの材料のアッベ数の平均値をνＢｐａｖｅ、前記レンズ群Ｃに含まれる正レンズの材料のアッベ数の平均値をνＣｐａｖｅとするとき、
６０．０＜ν１ｐａｖｅ＜９５．０
５０．０＜ν２ｎａｖｅ＜９０．０
１．６＜ν１ｐａｖｅ／νＢｐａｖｅ＜５．０
０．６＜ν１ｐａｖｅ／νＣｐａｖｅ＜１．４
なる条件式を満足することを特徴としている。
【発明の効果】
【００１０】
本発明によれば、高ズーム比で全ズーム範囲にわたり色収差が良好に補正され、高い光学性能が容易に得られるズームレンズが得られる。
【図面の簡単な説明】
【００１１】
【図１】実施例１のズームレンズのレンズ断面図
【図２】（Ａ）、（Ｂ）、（Ｃ）  実施例１のズームレンズの広角端、中間のズーム位置、望遠端における収差図
【図３】実施例２のズームレンズのレンズ断面図
【図４】（Ａ）、（Ｂ）、（Ｃ）  実施例２のズームレンズの広角端、中間のズーム位置、望遠端における収差図
【図５】実施例３のズームレンズのレンズ断面図
【図６】（Ａ）、（Ｂ）、（Ｃ）  実施例３のズームレンズの広角端、中間のズーム位置、望遠端における収差図
【図７】実施例４のズームレンズのレンズ断面図
【図８】（Ａ）、（Ｂ）、（Ｃ）  実施例４のズームレンズの広角端、中間のズーム位置、望遠端における収差図
【図９】実施例５のズームレンズのレンズ断面図
【図１０】（Ａ）、（Ｂ）、（Ｃ）  実施例５のズームレンズの広角端、中間のズーム位置、望遠端における収差図
【図１１】本発明の撮像装置の実施形態を説明する為の図
【図１２】アッベ数と部分分散比の関係図
【発明を実施するための形態】
【００１２】
以下に、本発明の好ましい実施の形態を添付の図面に基づいて説明する。本発明のズームレンズは、物体側から像側へ順に配置された、正の屈折力の第１レンズ群、負の屈折力の第２レンズ群、複数のレンズ群を含む後方レンズ系より構成される。後方レンズ系には、物体側から像側へ順に配置された、正の屈折力のレンズ群Ａ、負の屈折力のレンズ群Ｂ、正の屈折力のレンズ群Ｃより構成される部分レンズ系を有する。ズーミングに際して、第１レンズ群は不動であり、レンズ群Ａは移動し、ズーミングに際して隣り合うレンズ群の間隔が変化する。
【００１３】
図１は、本発明の実施例１のレンズ断面図である。図２（Ａ）、（Ｂ）、（Ｃ）はそれぞれ実施例１のズームレンズの広角端（短焦点距離端）、中間のズーム位置、望遠端（長焦点距離端）における縦収差図である。実施例１はズーム比１４．５５、Ｆナンバー２．８８〜４．６４程度のズームレンズである。図３は本発明の実施例２のレンズ断面図である。図４（Ａ）、（Ｂ）、（Ｃ）はそれぞれ実施例２のズームレンズの広角端、中間のズーム位置、望遠端における縦収差図である。実施例２はズーム比１９．４９、Ｆナンバー４．１２〜４．８４程度のズームレンズである。
【００１４】
図５は、本発明の実施例３のレンズ断面図である。図６（Ａ）、（Ｂ）、（Ｃ）はそれぞれ実施例３のズームレンズの広角端、中間のズーム位置、望遠端における縦収差図である。実施例３はズーム比１３．００、Ｆナンバー２．８７〜４．６０程度のズームレンズである。図７は、本発明の実施例４のレンズ断面図である。図８（Ａ）、（Ｂ）、（Ｃ）はそれぞれ実施例４のズームレンズの広角端、中間のズーム位置、望遠端における縦収差図である。実施例４はズーム比２０．００、Ｆナンバー２．７０〜５．６０程度のズームレンズである。
【００１５】
図９は、本発明の実施例５のレンズ断面図である。図１０（Ａ）、（Ｂ）、（Ｃ）はそれぞれ実施例５のズームレンズの広角端、中間のズーム位置、望遠端における縦収差図である。実施例５はズーム比１９．５０、Ｆナンバー３．６１程度のズームレンズである。図１１は本発明の撮像装置の要部概略図である。図１２は材料のアッベ数と部分分散比の関係図である。
【００１６】
各実施例のズームレンズはデジタルカメラやビデオカメラ、放送用カメラ、監視用カメラ、銀塩写真用カメラなどの撮像装置に用いられるズームレンズである。尚、実施例のズームレンズは投射装置（プロジェクタ）用の投射光学系として用いることもできる。レンズ断面図において、左方が物体側（前方）で、右方が像側（後方）である。また、レンズ断面図において、ｉを物体側からのレンズ群の順番とすると、Ｌｉは第ｉレンズ群を示す。
【００１７】
ＬＲは複数のレンズ群を有する後方レンズ系である。ＬＭは後方レンズ系ＬＲに含まれるレンズ群Ａ、レンズ群Ｂ、レンズ群Ｃより構成される部分レンズ系である。ＳＰは開口絞りである。ＩＰは像面である。像面ＩＰは、デジタルカメラやビデオカメラなどの撮像装置としてズームレンズを使用する際には、ＣＣＤセンサやＣＭＯＳセンサなどの固体撮像素子（光電変換素子）の撮像面に相当する。銀塩フィルムカメラの撮像装置としてズームレンズを使用する際には、フィルム面に相当する。矢印は広角端から望遠端へのズーミングに際してのレンズ群の移動方向である。
【００１８】
フォーカスに関する矢印は無限遠から近距離へのフォーカシングに際してのレンズ群の移動方向を示している。球面収差図において、ＦｎｏはＦナンバーである。また実線のｄはｄ線（波長５８７．６ｎｍ）、二点鎖線のｇはｇ線（波長４３５．８ｎｍ）である。一点鎖線のＣはＣ線（波長６５６．３ｎｍ）、点線のＦはＦ線（波長４８６．１ｎｍ）である。非点収差図で点線のＭはｄ線におけるメリディオナル像面、実線のＳはｄ線におけるサジタル像面である。歪曲収差図はｄ線について示している。倍率色収差図はｇ線、Ｃ線、Ｆ線について示している。ωは半画角（度）である。
【００１９】
本発明のズームレンズは、物体側から像側へ順に配置された、正の屈折力の第１レンズ群Ｌ１、負の屈折力の第２レンズ群Ｌ２を有する。更に第２レンズ群Ｌ２よりも像側に複数のレンズ群より構成される後方レンズ系ＬＲを有する。後方レンズ系ＬＲの中には、物体側から像側へ順に配置された、正の屈折力のレンズ群Ａ、負の屈折力を有するレンズ群Ｂ、正の屈折力のレンズ群Ｃを配置した部分レンズ系ＬＭを有する。ズーミングに際して隣り合うレンズ群の間隔が変化する。
【００２０】
本発明のズームレンズは、正の屈折力の第１レンズ群Ｌ１の像面側に、負の屈折力の第２レンズ群Ｌ２を配置することによって、高ズーム比化に適した構成としている。また、第２レンズ群Ｌ２よりも像面側のレンズ系中に正の屈折力のレンズ群Ａ、負の屈折力のレンズ群Ｂ、正の屈折力のレンズ群Ｃよりなる部分レンズ系を配置することで、軸上色収差、倍率色収差を良好に補正している。第１レンズ群Ｌ１はズーミングに際して不動としてレンズ全長の増加を防いでいる。
【００２１】
ズーミングに際してレンズ群Ａを移動させ変倍作用を持たせたり、又は変倍に伴う像面位置の変動を補正している。更に、第１レンズ群Ｌ１を正レンズおよび負レンズを有するように構成している。またレンズ群Ｃを正レンズおよび負レンズを有するように構成して、色収差を良好に補正している。
【００２２】
第２レンズ群Ｌ２は負レンズを有する。レンズ群Ｂは正レンズを有する。第１レンズ群Ｌ１に含まれる正レンズの材料のアッベ数の平均値をν１ｐａｖｅとする。第２レンズ群Ｌ２に含まれる負レンズの材料のアッベ数の平均値をν２ｎａｖｅとする。レンズ群Ｂに含まれる正レンズの材料のアッベ数の平均値をνＢｐａｖｅとする。レンズ群Ｃに含まれる正レンズの材料のアッベ数の平均値をνＣｐａｖｅとする。
【００２３】
このとき、
６０．０＜ν１ｐａｖｅ＜９５．０            ・・・（１）
５０．０＜ν２ｎａｖｅ＜９０．０            ・・・（２）
１．６＜ν１ｐａｖｅ／νＢｐａｖｅ＜５．０  ・・・（３）
０．６＜ν１ｐａｖｅ／νＣｐａｖｅ＜１．４  ・・・（４）
なる条件式を満足する。
【００２４】
ここで、各実施例で用いている光学素子（レンズ）の材料の部分分散比θｇＦとアッベ数νｄは次のとおりである。フラウンフォーファ線のｇ線（４３５．８ｎｍ）、Ｆ線（４８６．１ｎｍ）、ｄ線（５８７．６ｎｍ）、Ｃ線（６５６．３ｎｍ）に対する屈折率をそれぞれＮｇ、ＮＦ、Ｎｄ、ＮＣとする。アッベ数νｄ、ｇ線とＦ線に関する部分分散比θｇＦは（ａ）式、（ｂ）式のとおりである。
νｄ＝（Ｎｄ−１）／（ＮＦ−ＮＣ）      ・・・（ａ）
θｇＦ＝（Ｎｇ−ＮＦ）／（ＮＦ−ＮＣ）  ・・・（ｂ）
【００２５】
本発明で用いるレンズの材料のアッベ数νｄは、それぞれ対象となるレンズの材料特性に関して（ａ）式で算出した値を採用する。また、レンズの材料の部分分散比θｇＦはそれぞれ対象となるレンズの材料特性に関して（ｂ）式で算出した値を採用する。
また、軸上近軸光線及び瞳近軸光線は、次のように定義される光線である。軸上近軸光線は、光軸と平行に光学系に入射した近軸光線である。瞳近軸光線は、撮像面の最大像高に入射する光線の内、光学系の入射瞳と光軸との交点を通過する近軸光線である。
【００２６】
次に前述の各条件式の技術的意味について説明する。条件式（１）は第１レンズ群Ｌ１に含まれる正レンズの材料のアッベ数について規定している。本発明のズームレンズでは、望遠端において第１レンズ群Ｌ１に入射する軸上近軸光線の入射高さが高くなる。このため、条件式（１）を満たすアッベ数が大きい材料を使用することで、望遠端において軸上色収差の補正を良好に行っている。
【００２７】
条件式（１）の上限を超えると、後述のレンズ群Ｂとレンズ群Ｃを必要としない構成となり、好ましくない。条件式（１）の下限を超えると、望遠端において軸上色収差の補正が困難となる。
【００２８】
条件式（２）は第２レンズ群Ｌ２に含まれる負レンズの材料のアッベ数について規定している。本発明のズームレンズは、主に正の屈折力の第１レンズ群Ｌ１と負の屈折力の第２レンズ群Ｌ２間の距離を変化させることによって、変倍を行っている。第２レンズ群Ｌ２に含まれる負レンズには、条件式（２）を満たすアッベ数が大きい材料を使用することで、特にズーミングに伴う倍率色収差の変動を軽減する構成としている。条件式（２）の上限を超えると、望遠端において軸上色収差の補正効果が過少となるため好ましくない。条件式（２）の下限を超えると、特に広角端において倍率色収差の補正が困難となる。
【００２９】
各実施例のズームレンズは、正の屈折力のレンズ群Ａを第２レンズ群Ｌ２よりも像側に配置することにより、レンズ群Ａから射出される光束を収斂に近づけ、後に続くレンズ系の有効径の増大を防いでいる。
【００３０】
条件式（３）は第１レンズ群Ｌ１とレンズ群Ｂに配置される正レンズの材料のアッベ数の関係を規定している。条件式（４）は第１レンズ群Ｌ１とレンズ群Ｃに配置される正レンズの材料のアッベ数の関係を規定している。ここで、一般的な材料のアッベ数と部分分散比について説明する。図１２に示すように、現存する光学材料はアッベ数νｄに応じて部分分散比θｇＦの範囲は限定される。図１２中の点線（ノーマルライン）の付近に多くの硝材が分布するが、アッベ数νｄが小さい部分または大きい部分で部分分散比θｇＦがノーマルラインに対して大きくなる傾向がある。
【００３１】
次に、正の屈折力のレンズ群を例にして、色消しについて述べる。正の屈折力のレンズ群内には１次の色消しを目的として、負レンズの材料にアッベ数が小さい材料を用いる。アッベ数が小さい材料は前述の通り、部分分散比が大きく、ズームレンズ全体ではｇ線は過補正となる傾向がある。この過補正を緩和するには正レンズの材料に部分分散比が大きい材料を使用することが効果的である。
【００３２】
ここで、条件式（１）を満足すれば、特に望遠端においてｇ線の軸上色収差の過補正は緩和されるが、アッベ数が大きい材料の部分分散比は、アッベ数が小さい材料の部分分散比よりは小さく、緩和が不十分となる。そこで、レンズ群Ｂを負の屈折力のレンズ群とし、色消しのためにアッベ数の小さい正の屈折力のレンズを配置する事で、望遠端においてｇ線の軸上色収差の過補正を更に緩和できる構成としている。
【００３３】
条件式（３）を満たす材料を選択すれば、レンズ群Ｂにはアッベ数が小さく、部分分散比が大きい材料が使用され、望遠端においてｇ線の軸上色収差の過補正が緩和される。条件式（３）の上限を超えると、ズーミングに際してｇ線の軸上色収差の変動が大きくなってしまうため好ましくない。条件式（３）の下限を超えると、望遠端においてｇ線の軸上色収差の過補正の緩和が不十分となる。
【００３４】
同様に、負の屈折力の第２レンズ群Ｌ２内、または色収差の補正が不十分な場合の第２レンズ群Ｌ２と近接する第３レンズ群Ｌ３内には、色消しの為にアッベ数が小さく部分分散比が大きい材料よりなる正レンズを用いる傾向がある。この結果、望遠端においてｇ線の軸上色収差の過補正は緩和される。しかしながら、第２レンズ群Ｌ２はズーミングに際して光軸方向に移動する為、広角端においてｇ線の倍率色収差が過補正となる。
【００３５】
これに対し、条件式（１）を満足すると、広角端においてｇ線の倍率色収差は更に過補正になってしまう。レンズ群Ｂは瞳近軸光線の入射高さが低い為、条件式（３）を満たしても、広角端においてｇ線の倍率色収差の過補正の緩和の効果は小さい。そこで、レンズ群Ｃの正レンズの材料の部分分散比を大きくする。
【００３６】
条件式（４）を満たす材料を選択すれば、レンズ群Ｃにはアッベ数が大きく、部分分散比が大きい材料が使用され広角端においてｇ線の倍率色収差の過補正が緩和される。条件式（４）の上限を超えると、広角端においてｇ線の倍率色収差の過補正の緩和が不十分となる。条件式（４）の下限を超えると、広角端においてｇ線の倍率色収差の過補正の緩和が過剰となってしまう。
【００３７】
また、第１レンズ群Ｌ１は正レンズと負レンズを有し、レンズ群Ｃは正レンズと負レンズを有する。第１レンズ群Ｌ１は望遠端において軸上近軸光線の入射高さが高く、レンズ群Ｃはズーム全域で瞳近軸光線の入射高さが高く、それぞれ軸上色収差、倍率色収差に大きく寄与する。このため、正レンズおよび負レンズを配置することによって、色収差の補正が容易な構成とするのが良い。
【００３８】
以上の構成をとることにより本発明の目的のズームレンズは達成されるが、更に好ましくは、以下の条件式を満足するのが良い。
【００３９】
第１レンズ群Ｌ１に含まれる負レンズの材料のアッベ数の平均値をν１ｎａｖｅとする。レンズ群Ｂは負レンズを有する。レンズ群Ｂに含まれる負レンズの材料のアッベ数の平均値をνＢｎａｖｅとする。第１レンズ群Ｌ１の焦点距離をｆ１、第１レンズ群Ｌ１の最も物体側のレンズ面の面頂点から像面までの距離をＬＤとする。レンズ群Ｃの焦点距離をｆＣとする。レンズ群Ｂの焦点距離をｆＢとする。
【００４０】
このとき次の条件式のうち１つ以上を満足するのが良い。
１．８＜ν１ｐａｖｅ／ν１ｎａｖｅ＜４．０    ・・・（５）
０．３＜νＢｎａｖｅ／νＣｐａｖｅ＜０．９    ・・・（６）
０．２＜ｆ１／ＬＤ＜０．５                    ・・・（７）
０．８＜ｆ１／ｆＣ＜２．５                    ・・・（８）
−０．１０＜（ｆＢ×ｆＣ）／ＬＤ2＜−０．０２  ・・・（９）
【００４１】
次に前述の各条件式の技術的意味について説明する。条件式（５）は第１レンズ群Ｌ１に含まれる正レンズの材料のアッベ数の平均値と負レンズの材料のアッベ数の平均値の比を規定している。
【００４２】
本発明のズームレンズは、第１レンズ群Ｌ１での軸上近軸光線の入射高が特に望遠端で高くなり、軸上色収差の抑制のために第１レンズ群Ｌ１内で１次の色収差の補正が必要となる。加えて、第１レンズ群Ｌ１の材料には条件式（１）で規定されるアッベ数の大きい材料を使用するが、このような材料は屈折率が低い傾向がある。従って、第１レンズ群Ｌ１内の負レンズに条件式（５）を満たす材料を使用することにより、１次の色収差補正の条件を満足しながら、正レンズのレンズ面の曲率半径を大きくし、高次収差の発生を抑制している。
【００４３】
条件式（５）の上限を超えると、第１レンズ群Ｌ１内の負レンズにアッベ数が小さく、部分分散比の大きい材料を使用することになるため、望遠端においてｇ線の軸上色収差が過補正になり易い。条件式（５）の下限を超えると、第１レンズ群Ｌ１内での１次の色収差の補正を満足するために第１レンズ群Ｌ１内の正レンズのレンズ面の曲率半径が小さくなり、高次収差の補正が困難となる。
【００４４】
条件式（６）は、レンズ群Ｂに配置される負レンズの材料のアッベ数の平均値とレンズ群Ｃに配置される正レンズの材料のアッベ数の平均値の比を規定している。望遠端においてｇ線の軸上色収差の過補正の緩和のためには、負レンズには部分分散比の小さい材料、正レンズには部分分散比の大きい材料の使用が適している。
【００４５】
従って、条件式（４）を満たすアッベ数が大きく、部分分散比の大きい材料をレンズ群Ｃの正レンズに使用する。更に条件式（６）を満たす材料をレンズ群Ｂ内の負レンズに使用すれば、軸上色収差の過補正を良好に緩和できる。
【００４６】
条件式（６）の上限を超えると、レンズ群Ｂ内の負レンズの部分分散比が大きくなってしまい、特に望遠端においてｇ線の軸上色収差が過補正となってしまう。条件式（６）の下限を超えると、レンズ群Ｂ内の正レンズの材料と負レンズの材料のアッベ数差を十分とることができない。そうすると、１次の色消し条件を満足するためにレンズ群Ｂ内の正レンズと負レンズの屈折力が強くなりすぎてしまい、諸収差が増大するため好ましくない。
【００４７】
条件式（７）において距離ＬＤはレンズ全長であり、最も物体側のレンズ面の面頂点から最も像側のレンズ面の面頂点までの距離に、空気換算距離のバックフォーカスの値を加えた値である。条件式（７）は、第１レンズ群Ｌ１の焦点距離とレンズ全長ＬＤとの比を規定している。ズームレンズのレンズ全長の短縮には、望遠端においてテレ比を小さくするのが効果的であり、これには第１レンズ群Ｌ１の正の屈折力が大きく影響する。第１レンズ群Ｌ１の正の屈折力が強いと、主点は物体側に押し出されるため、レンズ系全体の焦点距離一定の条件でレンズ全長は短くなる。
【００４８】
条件式（７）の上限を超えると、第１レンズ群Ｌ１の正の屈折力が弱くなることに伴い、望遠端においてテレ比が大きくなってしまい、レンズ全長の短縮が困難となる。条件式（７）の下限を超えると、第１レンズ群Ｌ１内の正レンズの屈折力を強くするためレンズ面の曲率半径が小さくなり、高次収差の補正が困難となる。
【００４９】
条件式（８）は、第１レンズ群Ｌ１の焦点距離とレンズ群Ｃの焦点距離の比を規定している。前述の通り、条件式（４）を満足すると特に広角端においてｇ線の倍率色収差の過補正を緩和できるが、十分な補正を行うにはレンズ群Ｃに相応の屈折力を持たせる必要がある。例えば、第１レンズ群Ｌ１の正の屈折力が強い場合には、広角端においてｇ線の倍率色収差が大きく過補正になるため、レンズ群Ｃの正の屈折力を強くして過補正の緩和効果を大きくする必要がある。
【００５０】
条件式（８）を満足するようにレンズ群Ｃの正の屈折力を強くすることで倍率色収差の過補正の緩和ができる。条件式（８）の上限を超えると緩和が不十分となり、下限を超えると緩和が過剰となってしまう。
【００５１】
条件式（９）は、レンズ群Ｂの焦点距離とレンズ群Ｃの焦点距離に対するレンズ全長の関係を規定している。前述の通り、レンズ群Ｃは瞳近軸光線の入射高さが高く倍率色収差の過補正の緩和に適している。しかしながら、軸上色収差への影響もあるため、条件式（４）を満たすと望遠端においてｇ線の軸上色収差は過補正が緩和される方向へ移動する。
【００５２】
従って、レンズ群Ｃの正の屈折力が強い場合には、レンズ群Ｂの負の屈折力は比較的弱くても望遠端においてｇ線の軸上色収差の過補正の緩和が容易である。また、レンズ群Ｃの正の屈折力が弱い場合には、レンズ群Ｂの負の屈折力を強くしなければ過補正の緩和を十分に行うことが困難である。条件式（９）を満たすことにより、望遠端においてｇ線の軸上色収差の過補正の緩和を適切に行うことが容易となり、条件式（９）の上限を超えると過補正の緩和が過剰となり、下限を超えると緩和が不十分となる。
【００５３】
なお、条件式（１）乃至（９）の数値範囲は以下の如く特定するのが更に望ましい。
６２．０＜ν１ｐａｖｅ＜９２．０                ・・・（１ａ）
５１．０＜ν２ｎａｖｅ＜８２．０                ・・・（２ａ）
１．８５＜ν１ｐａｖｅ／νＢｐａｖｅ＜４．２５  ・・・（３ａ）
０．７５＜ν１ｐａｖｅ／νＣｐａｖｅ＜１．３５  ・・・（４ａ）
１．９５＜ν１ｐａｖｅ／ν１ｎａｖｅ＜３．５０  ・・・（５ａ）
０．５０＜νＢｎａｖｅ／νＣｐａｖｅ＜０．７５  ・・・（６ａ）
０．３０＜ｆ１／ＬＤ＜０．４５                  ・・・（７ａ）
０．８＜ｆ１／ｆＣ＜２．３                      ・・・（８ａ）
−０．０８５＜（ｆＢ×ｆＣ）／ＬＤ2＜−０．０２５・・・（９ａ）
【００５４】
また、本発明のズームレンズは、第１レンズ群Ｌ１は４枚以上のレンズを有するのが望ましい。光学系全体の小型化を図るためには、第１レンズ群Ｌ１の屈折力を強くするのが良い。そこで本発明では第１レンズ群Ｌ１の正の屈折力を複数の正レンズに分担させ、個々の正レンズの屈折力を弱くする構成としている。これにより、正レンズのレンズ面の曲率半径を大きくし、高次収差の発生を軽減している。
【００５５】
次に各実施例の後方レンズ系ＬＲ及び後方レンズ系ＬＲに含まれる部分レンズ系ＬＭについて説明する。実施例１において、後方レンズ系ＬＲは物体側から像側へ順に配置された正の屈折力の第３レンズ群Ｌ３、負の屈折力の第４レンズ群Ｌ４、正の屈折力の第５レンズ群Ｌ５より構成される。部分レンズ系ＬＭは第３レンズ群Ｌ３、第４レンズ群Ｌ４、第５レンズ群Ｌ５より構成される。
【００５６】
第３レンズ群Ｌ３はレンズ群Ａに相当し、第４レンズ群Ｌ４はレンズ群Ｂに相当し、第５レンズ群Ｌ５はレンズ群Ｃに相当する。ズーミングに際して第２レンズ群Ｌ２、第３レンズ群Ｌ３、第４レンズ群Ｌ４が移動する。フォーカシングに際して第４レンズ群Ｌ４が移動する。第４レンズ群Ｌ４に関する実線と点線は各々無限遠と近距離にフォーカスしているときの広角端から望遠端のズーム位置へのズーミングの際の像面変動を補正するための移動軌跡である。
【００５７】
例えば望遠端のズーム位置において無限遠から近距離へフォーカスを行う場合には、フォーカスの矢印に示すように第４レンズ群Ｌ４を後方へ繰り込むことで行っている。
【００５８】
実施例２において、後方レンズ系ＬＲは物体側から像側へ順に配置された負の屈折力の第３レンズ群Ｌ３、正の屈折力の第４レンズ群Ｌ４、負の屈折力の第５レンズ群Ｌ５、正の屈折力の第６レンズ群Ｌ６より構成される。部分レンズ系ＬＭは第４レンズ群Ｌ４、第５レンズ群Ｌ５、第６レンズ群Ｌ６より構成される。
【００５９】
第４レンズ群Ｌ４はレンズ群Ａに相当し、第５レンズ群Ｌ５はレンズ群Ｂに相当し、第６レンズ群Ｌ６はレンズ群Ｃに相当する。ズーミングに際して第２レンズ群Ｌ２、第３レンズ群Ｌ３、第５レンズ群Ｌ５が移動する。フォーカシングに際して第３レンズ群Ｌ３が移動する。第３レンズ群Ｌ３に関する実線と点線は各々無限遠と近距離にフォーカスしているときの広角端から望遠端のズーム位置へのズーミングの際の像面変動を補正するための移動軌跡である。
【００６０】
例えば望遠端のズーム位置において無限遠から近距離へフォーカスを行う場合には、フォーカスの矢印に示すように第３レンズ群Ｌ３を物体側へ繰り出すことで行っている。
【００６１】
実施例３において、後方レンズ系ＬＲは物体側から像側へ順に配置された負の屈折力の第３レンズ群Ｌ３、正の屈折力の第４レンズ群Ｌ４、負の屈折力の第５レンズ群Ｌ５、正の屈折力の第６レンズ群Ｌ６より構成される。部分レンズ系ＬＭは第４レンズ群Ｌ４、第５レンズ群Ｌ５、第６レンズ群Ｌ６より構成される。
【００６２】
第４レンズ群Ｌ４はレンズ群Ａに相当し、第５レンズ群Ｌ５はレンズ群Ｂに相当し、第６レンズ群Ｌ６はレンズ群Ｃに相当する。ズーミングに際して第２レンズ群Ｌ２、第３レンズ群Ｌ３、第４レンズ群Ｌ４、第５レンズ群Ｌ５が移動する。フォーカシングに際して第５レンズ群Ｌ５が移動する。第５レンズ群Ｌ５に関する実線と点線は各々無限遠と近距離にフォーカスしているときの広角端から望遠端のズーム位置へのズーミングの際の像面変動を補正するための移動軌跡である。
【００６３】
例えば望遠端のズーム位置において無限遠から近距離へフォーカスを行う場合には、フォーカスの矢印に示すように第５レンズ群Ｌ５を後方へ繰り込むことで行っている。
【００６４】
実施例４において、後方レンズ系ＬＲは物体側から像側へ順に配置された正の屈折力の第３レンズ群Ｌ３、正の屈折力の第４レンズ群Ｌ４、正の屈折力の第５レンズ群Ｌ５、負の屈折力の第６レンズ群Ｌ６、正の屈折力の第７レンズ群Ｌ７より構成される。部分レンズ系ＬＭは第５レンズ群Ｌ５、第６レンズ群Ｌ６、第７レンズ群Ｌ７より構成される。
【００６５】
第５レンズ群Ｌ５はレンズ群Ａに相当し、第６レンズ群Ｌ６はレンズ群Ｂに相当し、第７レンズ群Ｌ７はレンズ群Ｃに相当する。ズーミングに際して第２レンズ群Ｌ２、第３レンズ群Ｌ３、第４レンズ群Ｌ４、第５レンズ群Ｌ５、第６レンズ群Ｌ６が移動する。フォーカシングに際して第６レンズ群Ｌ６が移動する。第６レンズ群Ｌ６に関する実線と点線は各々無限遠と近距離にフォーカスしているときの広角端から望遠端のズーム位置へのズーミングの際の像面変動を補正するための移動軌跡である。
【００６６】
例えば望遠端のズーム位置において無限遠から近距離へフォーカスを行う場合には、フォーカスの矢印に示すように第６レンズ群Ｌ６を後方へ繰り込むことで行っている。
【００６７】
実施例５において、後方レンズ系ＬＲは物体側から像側へ順に配置された正の屈折力の第３レンズ群Ｌ３、負の屈折力の第４レンズ群Ｌ４、正の屈折力の第５レンズ群Ｌ５、正の屈折力の第６レンズ群Ｌ６より構成される。部分レンズ系ＬＭは第３レンズ群Ｌ３、第４レンズ群Ｌ４、第５レンズ群Ｌ５より構成される。
【００６８】
第３レンズ群Ｌ３はレンズ群Ａに相当し、第４レンズ群Ｌ４はレンズ群Ｂに相当し、第５レンズ群Ｌ５はレンズ群Ｃに相当する。ズーミングに際して第２レンズ群Ｌ２、第３レンズ群Ｌ３、第５レンズ群Ｌ５が移動する。フォーカシングに際して第５レンズ群Ｌ５が移動する。第５レンズ群Ｌ５に関する実線と点線は各々無限遠と近距離にフォーカスしているときの広角端から望遠端のズーム位置へのズーミングの際の像面変動を補正するための移動軌跡である。
【００６９】
例えば望遠端のズーム位置において無限遠から近距離へフォーカスを行う場合には、フォーカスの矢印に示すように第５レンズ群Ｌ５を後方へ繰り込むことで行っている。
【００７０】
次に本発明のズームレンズを撮像光学系として用いたビデオカメラの実施形態について図１１を用いて説明する。図１１において、１０はビデオカメラ本体、１１は本発明のズームレンズによって構成された撮像光学系、１２は撮像光学系１１によって被写体像を受光するＣＣＤ等の撮像素子である。１３は撮像素子１２が受光した被写体像を記録する記録手段、１４は不図示の表示素子に表示された被写体像を観察するためのファインダーである。上記表示素子は液晶パネル等によって構成され、撮像素子１２上に形成された被写体像が表示される。
【００７１】
この様に本発明のズームレンズをビデオカメラ等の撮像装置に適用する事により、小型で高い光学性能を有する撮像装置が実現できる。なお、撮像素子にＣＣＤ等の電子撮像素子を用いれば、電子的に収差補正をする事で出力画像を更に高画質化する事ができる。
【００７２】
以上、本発明の好ましい実施形態について説明したが、本発明はこれらの実施形態に限定されず、その要旨の範囲内で種々の変形及び変更が可能である。
【００７３】
以下、実施例１乃至５に対応する具体的な数値データ１乃至５を示す。各数値データにおいて、ｉは物体側から数えた順序を示し、ｒｉは第ｉ番目の光学面（第ｉ面）の曲率半径、ｄｉは第ｉ面と第（ｉ＋１）面との間の軸上間隔を示す。又、ｎｄｉ、νｄｉはそれぞれｄ線に対する第ｉ番目の光学部材の材料の屈折率、アッベ数である。非球面形状は光軸方向にＸ軸、光軸と垂直方向にＨ軸、光の進行方向を正としＲを近軸曲率半径、Ｋを円錐定数、Ａ４、Ａ６、Ａ８を各々非球面係数としたとき、
【００７４】
【数１】
2018072367.tif 000003
【００７５】
なる式で表している。＊は非球面形状を有する面を意味している。「ｅ−ｘ」は１０−ｘを意味している。数値データにおいて最後の２つの面は、フィルター、フェースプレート等の光学ブロックの面である。ＢＦは空気換算のバックフォーカスである。レンズ全長は第１レンズ面から最終レンズ面までの距離にバックフォーカスＢＦの値を加えた値である。また、前述の各条件式と実施例との関係を表１に示す。 
【００７６】
［数値データ１］
単位 mm
面データ
面番号       r        d      nd         νd
1        214.090    1.47   1.91650    31.6           
2         40.748    6.31   1.43875    94.9           
3       -189.371    0.17                             
4         92.942    1.78   1.76385    48.5           
5        196.508    0.17                             
6         41.556    4.60   1.76385    48.5           
7       5650.182  (可変)                             
8      -3933.506    0.82   1.83481    42.7           
9         11.758    4.18                             
10*      1462.054    0.62   1.58313    59.5           
11*        44.234    3.40                             
12        -13.983    0.62   1.43700    95.1           
13       -156.680    0.17                             
14        108.152    1.81   1.92286    18.9           
15        -57.051  (可変)                             
16(絞り)    ∞     (可変)                             
17*        16.081    4.41   1.58313    59.4           
18*       -89.455    3.06                             
19         90.014    0.63   1.83400    37.2           
20         17.078    1.20                             
21         34.311    2.64   1.43700    95.1           
22        -48.019    0.50                             
23         20.461    0.68   1.95375    32.3           
24         13.960    4.01   1.53775    74.7           
25        -72.479  (可変)                             
26        -56.965    1.22   2.00069    25.5           
27        -22.518    0.83   1.69680    55.5           
28         20.737  (可変)                             
29        215.424    4.31   1.49700    81.5           
30        -17.616    0.75   2.00069    25.5           
31        -33.477    0.17                             
32         28.721    4.39   1.53775    74.7           
33        -48.020    5.31                             
34          ∞       2.00   1.51633    64.1           
35          ∞       7.16                             
像面        ∞   
【００７７】
非球面データ
第10面
K = 2.67819e+004  A 4= 8.01158e-005  A 6=-2.29086e-006  A 8= 1.12970e-008  
第11面
K = 1.63872e+001  A 4= 2.03794e-005  A 6=-2.52446e-006  A 8= 1.14776e-008  
第17面
K =-2.36021e-001  A 4=-1.27121e-005  A 6=-1.17494e-008  A 8=-8.03485e-011  
第18面
K =-4.62882e+001  A 4= 6.13863e-006  A 6=-1.72511e-009  A 8=-1.94674e-011  
各種データ
ズーム比     14.55 
広角     中間     望遠
焦点距離       8.76    52.08   127.38  
Fナンバー      2.88     3.74     4.64  
半画角（度）  36.37     8.10     3.33  
像高           6.45     7.41     7.41  
レンズ全長   139.25   139.25   139.25  
BF            13.79    13.79    13.79  
d 7            0.72    24.55    34.76  
d15           35.84    12.01     1.80  
d16           14.36     0.70     0.70  
d25            3.14    16.56    16.26  
d28           16.45    16.69    16.99  
ズームレンズ群データ
群  始面    焦点距離  
1    1      54.97  
2    8     -11.08  
3   16       ∞    
4   17      22.48  
5   26     -26.35  
6   29      30.15  
7   34       ∞    
【００７８】
［数値データ２］
単位 mm
面データ
面番号       r        d      nd         νd
1        134.907    2.00   1.91650    31.6           
2         56.010    8.82   1.49700    81.5           
3       -339.631    0.17                             
4         52.073    5.63   1.49700    81.5           
5        390.752    0.17                             
6         41.702    4.74   1.53775    74.7           
7        120.887  (可変)                             
8        259.396    0.90   1.83481    42.7           
9         10.961    7.56                             
10*       -23.977    0.69   1.48749    70.2           
11*        35.396    0.51                             
12         46.043    3.04   1.95906    17.5           
13        -41.114  (可変)                             
14        -21.075    0.59   1.91650    31.6           
15       -221.424  (可変)                             
16(絞り)    ∞       1.08                             
17*        12.649    3.29   1.58573    59.7           
18*      -858.606    0.37                             
19         16.800    0.84   1.95375    32.3           
20         11.630    0.50                             
21         14.196    3.50   1.43875    94.9           
22        -40.634    0.51                             
23         35.036    0.60   1.88300    40.8           
24          9.382    3.63   1.51742    52.4           
25        -61.262  (可変)                             
26         45.161    1.15   1.92286    18.9           
27        -68.589    0.60   1.95375    32.3           
28         15.847  (可変)                             
29        101.148    3.41   1.53775    74.7           
30         -9.045    0.60   1.75500    52.3           
31         30.237    2.76                             
32         32.332    4.09   1.54814    45.8           
33        -16.035    3.79                             
34          ∞       2.00   1.51633    64.1           
35          ∞       7.15                             
像面        ∞   
【００７９】
非球面データ
第10面
K =-1.53964e+000  A 4=-1.42098e-005  A 6=-1.39049e-007  A 8=-1.91171e-009  
第11面
K = 7.04768e+000  A 4=-8.74385e-005  A 6=-2.03199e-007  A 8=-1.83212e-009  
第17面
K =-6.96897e-001  A 4= 1.17324e-005  A 6= 5.11310e-008  A 8= 3.00329e-010  
第18面
K =-8.96688e+003  A 4= 5.22479e-005  A 6=-8.08572e-008  A 8=-5.23661e-011  
各種データ
ズーム比     19.49 
広角     中間     望遠
焦点距離      11.15    55.61   217.27  
Fナンバー      4.12     4.63     4.84  
半画角（度）  34.15     7.37     1.95  
像高           7.41     7.41     7.41  
レンズ全長   139.38   139.38   139.38  
BF            12.26    12.26    12.26  
d 7            0.95    25.36    35.82  
d13            8.94     9.37     8.97  
d15           37.01    12.17     2.11  
d25            0.49    13.37    11.29  
d28           17.99     5.11     7.19  
ズームレンズ群データ
群  始面    焦点距離  
1    1      57.21  
2    8     -20.17  
3   14     -25.45  
4   16       ∞    
5   17      17.44  
6   26     -25.58  
7   29      62.88  
8   34       ∞    
【００８０】
［数値データ３］
単位 mm
面データ
面番号       r        d      nd         νd
1        134.393    1.73   1.91650    31.6           
2         41.368    7.67   1.43875    94.9           
3       -395.541    0.15                             
4         71.513    3.20   1.43875    94.9           
5        463.188    0.13                             
6         43.012    4.95   1.76385    48.5           
7       1399.112  (可変)                             
8       -123.122    0.86   1.75500    52.3           
9         25.247  (可変)                             
10*       -48.716    0.95   2.00100    29.1           
11*        17.846    3.24                             
12        -22.718    0.80   1.43875    94.9           
13         77.024    1.28                             
14         59.449    2.38   1.92286    18.9           
15        -45.673  (可変)                             
16(絞り)    ∞     (可変)                             
17*        17.355    4.47   1.58313    59.4           
18*      -252.397    4.15                             
19       7766.941    0.70   1.83400    37.2           
20         19.536    0.44                             
21         26.557    3.38   1.43875    94.9           
22        -29.192    0.80                             
23         20.147    0.58   1.95375    32.3           
24         14.447    3.52   1.48749    70.2           
25        -91.245  (可変)                             
26       -123.808    2.51   1.84666    23.8           
27        -13.574    0.58   1.78590    44.2           
28         23.406  (可変)                             
29         32.598    5.90   1.48749    70.2           
30        -15.682    0.77   2.00069    25.5           
31        -49.686    0.17                             
32         38.063    4.46   1.48749    70.2           
33        -27.437    10.16                             
34          ∞       2.00   1.51633    64.1           
35          ∞       3.95                             
像面        ∞   
【００８１】
非球面データ
第10面
K = 0.00000e+000  A 4= 1.79074e-005  A 6=-2.25311e-007  A 8= 2.23331e-009  
第11面
K = 0.00000e+000  A 4=-1.85202e-005  A 6=-2.97240e-007  A 8= 3.55529e-009  
第17面
K = 0.00000e+000  A 4=-9.85475e-006  A 6=-3.15564e-008  A 8= 7.77260e-011  
第18面
K = 0.00000e+000  A 4= 1.69516e-005  A 6=-3.61467e-008  A 8= 1.94911e-010  
各種データ
ズーム比     13.00 
広角     中間     望遠
焦点距離      10.50    46.28   136.46  
Fナンバー      2.87     4.10     4.60  
半画角（度）  35.40     8.92     3.05  
像高           6.45     7.41     7.41  
レンズ全長   142.96   142.96   142.96  
BF            15.43    15.43    15.43  
d 7            1.23    23.60    33.19  
d 9            2.37     0.80     3.59  
d15           34.45    13.66     1.28  
d16            9.61     3.05     1.59  
d25            5.52    15.91    13.60  
d28           14.57    10.75    14.52  
ズームレンズ群データ
群  始面    焦点距離  
1    1      52.00  
2    8     -27.68  
3   10     -18.24  
4   16       ∞    
5   17      24.53  
6   26     -27.60  
7   29      31.90  
8   34       ∞    
【００８２】
［数値データ４］
単位 mm
面データ
面番号       r        d      nd         νd
1         89.736    1.62   1.90366    31.3           
2         53.787    8.35   1.43875    94.9           
3       -360.137    0.17                             
4         57.306    2.47   1.43875    94.9           
5        133.621    0.17                             
6         45.781    3.44   1.49700    81.5           
7        239.700  (可変)                             
8       -467.751    0.90   1.88300    40.8           
9         13.276    4.20                             
10*      21820.281    1.00   1.58313    59.4           
11*        46.904    2.98                             
12        -17.276    0.60   1.43875    94.9           
13        154.536  (可変)                             
14        112.378    2.01   1.92286    18.9           
15        -68.622  (可変)                             
16(絞り)    ∞     (可変)                             
17*        16.670    5.14   1.61800    63.3           
18*      -118.283    4.48                             
19        217.419    0.63   1.88300    40.8           
20         16.052    0.74                             
21         20.759    3.54   1.43875    94.9           
22        -25.005  (可変)                             
23         16.590    0.60   1.95375    32.3           
24         13.189    2.35   1.48749    70.2           
25        104.354  (可変)                             
26        711.767    1.67   1.80810    22.8           
27        -26.063    0.82   1.80440    39.6           
28         17.230  (可変)                             
29         73.956    3.34   1.48749    70.2           
30        -25.528    0.73   2.00069    25.5           
31        -52.147    0.17                             
32         32.672    4.16   1.48749    70.2           
33        -39.082    4.00                             
34          ∞       1.80   1.51633    64.1           
35          ∞       8.00                             
像面        ∞   
【００８３】
非球面データ
第10面
K = 5.39028e+006  A 4=-1.82962e-005  A 6=-4.48361e-007  A 8= 2.95368e-009  
第11面
K = 4.32864e+000  A 4=-5.14581e-005  A 6=-4.88755e-007  A 8= 3.10878e-009  
第17面
K =-1.28382e+000  A 4= 2.47991e-005  A 6= 1.66560e-008  A 8= 2.06515e-010  
第18面
K =-1.68527e+002  A 4= 1.03078e-005  A 6= 3.15440e-008  A 8=-6.44408e-011  
各種データ
ズーム比     20.00 
広角     中間     望遠
焦点距離       8.30    54.09   166.00  
Fナンバー      2.70     4.80     5.60  
半画角（度）  41.84     7.61     2.51  
像高           6.45     7.41     7.41  
レンズ全長   149.37   149.37   149.37  
BF            13.19    13.19    13.19  
d 7            0.78    28.30    40.09  
d13            0.92     1.21     1.98  
d15           41.12    13.31     0.74  
d16           20.27     3.65     0.85  
d22            2.56     4.42     0.75  
d25            2.30    13.26    14.17  
d28           11.95    15.76    21.31  
d33            4.00     4.00     4.00  
d35            8.00     8.00     8.00  
ズームレンズ群データ
群  始面    焦点距離  
1    1      64.12  
2    8      -7.70  
3   14      46.41  
4   16       ∞    
5   17      30.99  
6   23      54.52  
7   26     -22.06  
8   29      31.09  
9   34       ∞    
【００８４】
［数値データ５］
単位 mm
面データ
面番号       r        d      nd         νd
1        202.557    2.98   1.88300    40.8           
2         78.264   23.32   1.49700    81.5           
3       -561.279    1.19                             
4         85.730    7.92   1.49700    81.5           
5        450.175    1.11                             
6         62.379    7.15   1.49700    81.5           
7        337.615  (可変)                             
8        263.800    1.10   1.77250    49.6           
9         20.238    9.32                             
10       -342.665    1.17   1.43875    94.9           
11         53.483    5.69                             
12*       -38.190    1.52   1.43875    94.9           
13*       250.051  (可変)                             
14*       121.858    2.63   1.95906    17.5           
15*      -264.222  (可変)                             
16(絞り)    ∞     (可変)                             
17        -36.315    1.49   1.83481    42.7           
18        -80.921    1.49   1.71999    50.2           
19        -73.468  (可変)                             
20*        22.716    5.59   1.71300    53.9           
21        111.080    5.59                             
22        213.598    1.19   1.80100    35.0           
23         19.844    0.63                             
24*        18.543    5.05   1.43875    94.9           
25        -40.302  (可変)                             
26         50.377    2.31   1.73400    51.5           
27        237.179    1.42   1.49700    81.5           
28        144.761    30.00                             
29          ∞       1.80   1.51633    64.1           
30          ∞       9.11                           
像面        ∞   
【００８５】
非球面データ
第12面
K =-1.33698e+001  A 4= 7.42946e-006  A 6=-8.57142e-008  A 8=-4.61911e-011  
第13面
K = 2.41634e+002  A 4= 2.49801e-005  A 6=-1.28930e-007  A 8=-2.71810e-011  
第14面
K = 3.69940e+001  A 4=-1.22378e-005  A 6=-1.37613e-008  A 8=-2.29172e-010  
第15面
K =-7.81325e+002  A 4=-1.33860e-005  A 6=-1.25441e-008  A 8=-1.57233e-010  
第20面
K = 4.69045e-001  A 4=-7.13347e-006  A 6=-1.55786e-008  A 8=-6.16238e-011  
第24面
K = 1.65915e-001  A 4=-3.14013e-005  A 6=-1.25096e-008  A 8=-1.10245e-010  
各種データ
ズーム比     19.50 
広角     中間     望遠
焦点距離      10.31    61.89   201.07  
Fナンバー      3.61     3.61     3.61  
半画角（度）  35.58    6.78     2.12  
像高           7.41     7.41     7.41  
レンズ全長   235.79   235.79   235.79  
BF            40.30    40.30    40.30  
d 7            0.87    41.58    51.76  
d13           10.99     5.95     1.49  
d15           58.36     2.81     1.11  
d16           13.75    14.60     2.32  
d19           17.24    15.72     3.00  
d25            4.43    24.97    45.94  
ズームレンズ群データ
群  始面    焦点距離  
1    1      87.52  
2    8     -14.35  
3   14      87.25  
4   16       ∞    
5   17     -87.90  
6   20      42.40  
7   26      97.39  
8   29       ∞    
【００８６】
【表１】
2018072367.tif 000004
【符号の説明】
【００８７】
Ｌ１  第１レンズ群      Ｌ２  第２レンズ群      Ｌ３  第３レンズ群
Ｌ４  第４レンズ群      Ｌ５  第５レンズ群      Ｌ６  第６レンズ群
Ｌ７  第７レンズ群      ＬＲ  後方レンズ系      ＬＭ  部分レンズ系
【図１】
2018072367.tif 000005
【図２】
2018072367.tif 000006
【図３】
2018072367.tif 000007
【図４】
2018072367.tif 000008
【図５】
2018072367.tif 000009
【図６】
2018072367.tif 000010
【図７】
2018072367.tif 000011
【図８】
2018072367.tif 000012
【図９】
2018072367.tif 000013
【図１０】
2018072367.tif 000014
【図１１】
2018072367.tif 000015
【図１２】
2018072367.tif 000016